(57)【要約】【課題】  ファンの異常かファンに電力を供給する電源部の異常かを特定する。【解決手段】  画像形成装置１００は、ファン１０６と、ファン１０６に電力を供給する複数の電源部（第一電源部１０３、第二電源部１０４）と、ファン１０６の異常を検知する制御ユニット１０５と、を備える。そして、ファン１０６に電力を供給する複数の電源部（第一電源部１０３、第二電源部１０４）の何れか１つが、制御ユニット１０５に電力を供給する。【選択図】  図１
2020100011.tif 000002
【特許請求の範囲】
【請求項１】
ファンと、
前記ファンに電力を供給する複数の電源部と、
前記ファンから前記ファンの状態を示す信号を受信する異常検知手段と、を備え、
前記ファンに電力を供給する前記複数の電源部の何れか１つが、前記異常検知手段に電力を供給する、ことを特徴とする情報処理装置。
【請求項２】
前記ファンは、前記複数の電源部の少なくとも一つを冷却する電源ファンである、ことを特徴とする請求項１に記載の情報処理装置。
【請求項３】
前記複数の電源部は、第１電源部と、前記第１電源部より出力電圧が高い第２電源部と、を含み、
前記第１電源部が、前記異常検知手段に電力を供給する、ことを特徴とする請求項１又は２に記載の情報処理装置。
【請求項４】
前記第１電源部が前記ファンに電力を供給している状態で前記異常検知手段が前記ファンの異常を示す信号を受信すると、前記ファンが異常であると判定する、ことを特徴とする請求項３に記載の情報処理装置。
【請求項５】
前記異常検知手段は、前記ファンが異常であると判定すると、前記ファンが異常であることを示す情報をユーザに通知する、ことを特徴とする請求項４に記載の情報処理装置。
【請求項６】
表示部をさらに備え、
前記異常検知手段は、前記ファンが異常であることを示す情報を前記表示部に表示させる、ことを特徴とする請求項５に記載の情報処理装置。
【請求項７】
前記異常検知手段は、前記ファンの交換パーツを特定するための情報を前記表示部に表示させる、ことを特徴とする請求項５に記載の情報処理装置。
【請求項８】
前記ファンは、磁力によって回転するものであり、且つ、ホール素子を有し、
前記異常検知手段には、前記ホール素子の検知結果が入力される、ことを特徴とする請求項１乃至７の何れか１項に記載の情報処理装置。
【請求項９】
前記異常検知手段は、前記検知結果に基づいて、前記ファンの電力供給元を切り替える、ことを特徴とする請求項１乃至８の何れか１項に記載の情報処理装置。
【請求項１０】
前記異常検知手段は、前記ファンの電力供給元を切り替えても、前記ファンの異常を示す信号を受信すると、前記ファンが異常であると判定する、ことを特徴とする請求項９に記載の情報処理装置。
【請求項１１】
プリンタユニットをさらに備える、ことを特徴とする請求項１乃至１０の何れか１項に記載の情報処理装置。
【請求項１２】
リーダーユニットをさらに備える、ことを特徴とする請求項１乃至１１の何れか１項に記載の情報処理装置。
【請求項１３】
ファンと、
前記ファンに電力を供給する第１電源部と、
前記第１電源部の出力を監視する第１監視部と、
前記ファンに電力を供給する第２電源部と、
前記第２電源部の出力を監視する第２監視部と、
前記ファンの状態を示す信号、前記第１監視部からの信号、及び、前記第２監視部からの信号が入力される異常検知手段と、を備えることを特徴とする情報処理装置。
【請求項１４】
前記ファンは、前記第１電源部及び第２電源部の少なくとも一つを冷却する電源ファンである、ことを特徴とする請求項１３に記載の情報処理装置。
【請求項１５】
前記第１電源部の出力電圧は、前記第２電源部の出力電圧より高い、ことを特徴とする請求項１３又は１４に記載の情報処理装置。
【請求項１６】
前記ファンは、磁力によって回転するものであり、且つ、ホール素子を有し、
前記ファンの状態を示す信号は、前記ホール素子の検知結果に対応する、ことを特徴とする請求項１３乃至１５の何れか１項に記載の情報処理装置。
【請求項１７】
前記異常検知手段は、前記ファンの状態を示す信号、前記第１監視部からの信号、及び、前記第２監視部からの信号に基づいて、異常個所を特定する、ことを特徴とする請求項１３乃至１６の何れか１項に記載の情報処理装置。
【請求項１８】
プリンタユニットをさらに備える、ことを特徴とする請求項１３乃至１７の何れか１項に記載の情報処理装置。
【請求項１９】
リーダーユニットをさらに備える、ことを特徴とする請求項１３乃至１８の何れか１項に記載の情報処理装置。
【発明の詳細な説明】
【技術分野】
【０００１】
本発明は、ファンに電力を供給する複数の電源部を備える情報処理装置に関する。
【背景技術】
【０００２】
情報処理装置には、電源ユニットが安定して動作出来るように、電源ユニットを冷却する電源ファンなどの冷却装置を備える。特許文献１には、入力される電圧に応じて回転数が変動するファンと、ファンに異なる電圧を出力する複数の電源供給部と、を備える制御装置が開示されている。ファンに第１の電圧供給部から電圧が入力される場合には、ファンは低速回転し、ファンに第１の電圧供給部及び第２の電圧供給部の両方から電圧が入力される場合には、ファンは高速回転する。
【先行技術文献】
【特許文献】
【０００３】
【特許文献１】特開２００７−１４２０４７号公報
【発明の概要】
【発明が解決しようとする課題】
【０００４】
特許文献１には、ファンの故障を検知する方法については言及されていない。ファンの異常を異常検知部が検知する仕組みは従来から知られている。従来では、異常検知部がファンの動作が停止したときに出力されるファンロック信号をファンから受信すると、ファンの異常であると判定するものであった。しかしながら、ファンロック信号は、ファン自身の異常によりファンの動作が停止したときに出力される。さらに、ファンに電力を供給する電源部が異常の場合にもファンの動作が停止するので、出力される。つまり、従来の仕組みでは、厳密には、ファン自身の異常によって動作が停止したのか、ファンに電力を供給する電源部の異常によりファンの動作が停止したのか、を特定することができなかった。
【０００５】
そこで、本発明では、ファンの異常かファンに電力を供給する電源部の異常かを特定することが可能な情報処理装置を提供することを目的とする。
【課題を解決するための手段】
【０００６】
本発明の情報処理装置は、ファンと、ファンに電力を供給する複数の電源部と、ファンの異常を検知する異常検知手段と、を備える。そして、ファンに電力を供給する複数の電源部の何れか１つが、異常検知手段に電力を供給する。
【０００７】
また、本発明の情報処理装置は、ファンと、ファンに電力を供給する第１電源部と、第１電源部の出力を監視する第１監視部と、ファンに電力を供給する第２電源部と、第２電源部の出力を監視する第２監視部と、ファンの異常を示す信号、第１監視部からの信号、及び第２監視部からの信号が入力される異常検知手段と、を備える。
【発明の効果】
【０００８】
本発明によれば、ファンの異常かファンに電力を供給する電源部の異常かを特定することができる。
【図面の簡単な説明】
【０００９】
【図１】実施例１の画像形成装置の電源構成を示したブロック図である。
【図２】制御ユニットの詳細を示したブロック図である。
【図３】異常個所を特定するフローチャートである。
【図４】操作部の表示部に表示される画面を示した図である。
【図５】実施例２に画像形成装置の電源構成を示したブロック図である。
【図６】制御ユニットの詳細を示したブロック図である。
【図７】異常個所を特定するフローチャートである。
【発明を実施するための形態】
【００１０】
本発明を実施するための形態について図面を用いて説明する。
【実施例１】
【００１１】
以下、本発明を実施するための形態について図面を用いて説明する。
【００１２】
図１は、実施例１の画像形成装置の電源構成を示したブロック図である。実施例１では、本発明の情報処理装置の一例として、プリンタユニットやスキャナユニットを備える画像形成装置について説明する。本発明は、ストレージサーバ、パーソナルコンピュータなどの種々の情報処理装置に適用可能である。図１では、電源供給用の電源線を実線、制御信号用の信号線を点線で示す。
【００１３】
電源コード１０１から供給された交流の電力は、電源ユニット１０２へ供給される。電源ユニット１０２は、第一電源部１０３と、第二電源部１０４とを有する。第一電源部１０３及び第２電源部１０４は、共に、ＡＣＤＣコンバータであり、交流の電力を直流の電力に変換して出力する。第一電源部１０３は、制御ユニット（異常検知手段）１０５に電力を供給する。制御ユニット１０５は、画像形成装置１００の装置全体をメインで制御するユニットである。制御ユニット１０５の詳細は、図２で説明する。第二電源部１０４は、モーター等の駆動部品を多数有するリーダーユニット１１１やプリンタユニット１１２などに電力を供給する。第二電源部１０４の出力電圧は、第一電源部１０３の出力電圧より高い。
【００１４】
画像形成装置１００は、電源ユニット１０２を冷却するファン１０６を備える。ファン１０６は、供給される電圧に応じて回転数が変動する。ファン１０６に入力される電圧を切り替えることによって、ファン１０６の風量を調整して、電源ユニット１０２を適切に冷却する。ファン１０６には、第一電源部１０３が出力する電圧と、第二電源部１０４が出力する電圧と、が入力される。第一電源部１０３とファン１０６との間には、ファン制御用のスイッチ１０７及びダイオード１７１が設けられている。また、第二電源部１０４とファン１０６との間には、ファン制御用のスイッチ１０８及びダイオード１８１が設けられている。ファン制御用のスイッチ１０７及びファン制御用のスイッチ１０８は、ＦＥＴ（Ｆｉｅｌｄ  Ｅｆｆｅｃｔ  Ｔｒａｎｓｉｓｔｏｒ）である。ダイオード１７１は、第二電源部１０４側から第一電源部１０３側に電流が流れ込むのを防止し、ダイオード１８１は、第一電源部１０３側から第二電源部１０４側に電流が流れ込むのを防止する。ファン制御用スイッチ１０７及び１０８のオフ及びオンは、制御ユニット１０５が行う。制御ユニット１０５が出力するファン制御信号１０により、ファン制御用スイッチ１０７がオン又はオフになる。また、制御ユニット１０５が出力するファン制御信号１１により、ファン制御用スイッチ１０８がオン又はオフになる。
【００１５】
ファン１０６に入力される電圧は、画像形成装置１００の電力状態によって切り替えられる。例えば、プリントやコピーを行っている動作状態では、第二電源部１０４から出力された電圧がファン１０６に入力される。そして、プリントやコピーが完了して画像形成装置１００がスタンバイ状態になると、第一電源部１０３から出力された電圧がファン１０６に入力される。また、スタンバイ状態でユーザからの操作が無く所定時間が経過すると、画像形成装置は、省電力状態に移行する。この省電力状態では、ファン１０６は停止する。
【００１６】
制御ユニット１０５は、ファン１６から出力されるファンロック信号１５を用いて、ファン１０６の異常を検知する。このファンロック信号１５は、ファン１０６の状態を示している。ファン１０６は、ブラシ付きＤＣモーターの駆動力（磁力）で回転する。また、ファン１０６は、ホール効果を利用して磁界を検出するホール素子を有しており、ファン１６は、ホール素子の検知結果に対応するファンロック信号１５を出力する。具体的には、ホール素子の検出結果に変化がない場合、ファン１６はファンロック信号１５を出力し、ホール素子の検出結果に変化がある場合、ファン１６はファンロック信号１５を出力しない。制御ユニット１０５は、ファンロック信号１５が入力されると、ファン１６又は電源部１０３、１０４に異常を検知する。
【００１７】
第二電源部１０４は、制御ユニット１０５から出力される電源制御信号１４に従って、オフ又はオンになる。第二電源部１０４は、省電力状態のときにオフになり、スタンバイ状態や動作状態のときにオンになる。第二電源部１０４がオフの場合、制御ユニット１０５からファン制御信号１１が出力されても、第二電源部１０４からファン１０６には電圧が出力されない。実施例１では、リーダーユニット１１１やプリンタユニット１１２等が動作していて画像形成装置１００で比較的大きな消費電力がある場合に、ファン１０６を第二電源部１０４から出力される電圧で駆動させる。リーダーユニット１１１やプリンタユニット１１２が動作していないスタンバイ状態等でも、ファン１６を第二電源部１０４から出力される電圧で駆動させる場合には、電源制御信号１４とファン制御信号１１を同期させても良い。
【００１８】
第二電源部１０４は、リーダーユニット１１１に電力を供給する。第二電源部１０４とリーダーユニット１１１との間には、リーダー用のスイッチ１０９が設けられている。制御ユニット１０５から出力される電源制御信号１２に従って、リーダー用のスイッチ１０９がオフ又はオンになる。第二電源部１０４から出力されるリーダー電源２２は、リーダー用のスイッチ１０９を介して、リーダーユニット１１１に入力される。また、第二電源部１０４は、プリンタユニット１１２に電力を供給する。第二電源部１０４とプリンタユニット１１２との間には、プリンタ用のスイッチ１１０が設けられている。制御ユニット１０５から出力される電源制御信号１３に従って、プリンタ用のスイッチ１１０がオフ又はオンになる。第二電源部１０４から出力されるプリンタ電源２３は、プリンタ用のスイッチ１１０を介して、プリンタユニット１１２に入力される。スキャナユニット１１１用のスイッチ１０９とプリンタユニット１１２用のスイッチ１１０とを別々にすることにより、スキャンのみの動作やプリントのみの動作の時の消費電力を低減することができる。
【００１９】
実施例１の画像形成装置１００では、画像形成装置１００の電力状態に応じて電源ユニット１０２を冷却するファン１０６の制御を切り替えることで、静音性、消費電力の低減、及び、安定した電源供給を実現することが可能となる。
【００２０】
図２は、制御ユニットの詳細を示したブロック図である。図２でも、電源供給用の電源線を実線、制御信号用の信号線を点線で示す。制御ユニット１０５には、電源ユニット１０２から電源が供給される。制御ユニット１０５に入力された電圧は、ＤＣＤＣコンバータである電源部２００で降圧され、電源／ファン制御部２０１に供給される。電源／ファン制御部２０１は、ファン制御信号１０及びファン制御信号１１の出力により、ファン１０６への電力の供給／停止を行う。また、電源／ファン制御部２０１は、電源ユニット１０２を経由して、ファン１０６の状態を示す信号（ファンロック信号１５）を受信する。また、電源／ファン制御部２０１は、制御部２２０内の複数のＤＣＤＣコンバータから構成される電源部２０２から出力される複数の電力の供給／停止を行う。また、電源／ファン制御部２０１は、制御部２２０のＣＰＵ２０３と通信可能に接続される。電源／ファン制御部２０１は、ＣＰＵ２０３からの指示に従って、ファン１０６等の電力制御を行う。また、電源／ファン制御部２０１は、画像形成装置１００の電力状態を示す信号、ファン１０６の異常を含む状態を示す信号をＣＰＵ２０３への割り込み信号として出力する。
【００２１】
ＣＰＵ２０３は、ソフトウェアプログラムを実行する。ＲＡＭ２０５は、ＣＰＵ２０３が使用するデータの一時的な格納などに使用される。ＲＯＭ２０４は、画像形成装置１００の起動プログラムや各種設定値等を記憶する。ＣＰＵ２０３は、ストレージ２０６と通信可能に接続される。ストレージ２０６は、ハードディスクドライブ（ＨＤＤ）やソリッドステートドライブ（ＳＳＤ）などである。ＣＰＵ２０３とストレージ２０６とは、シリアルＡＴＡ（以後、ＳＡＴＡと呼ぶ）で通信可能に接続される。なお、このＳＡＴＡは、パラレルＡＴＡＡ（以後、ＰＡＴＡと呼ぶ）であっても良い。ＣＰＵ２０３は、ストレージ１０９に対してデータの書き込みを行い、又は、ストレージ１０９からデータの読み出しを行う。ＣＰＵ２０３は、ＬＡＮコントローラ２０８と通信可能に接続され、ＬＡＮＩ／Ｆ２０９を介してＬＡＮ２１０に接続される。
【００２２】
操作部２１２は、操作用タッチパネルやハードキーを有し、ユーザから入力される指示を受け付ける。操作部インターフェース（以下、Ｉ／Ｆと省略する）２１１は、ＣＰＵ２０３と操作部２１２とを接続するインターフェースであり、操作部２１２がユーザから受け付けた指示は、ＣＰＵ２０３へ送信される。そして、ＣＰＵ２０３は、入力された指示に従って、各種の処理を行う。ＣＰＵ２０３は、ＡＤＦ（Ａｕｔｏ  Ｄｏｃｕｍｅｎｔ  Ｆｅｅｄｅｒ）や画像読取センサーを持つリーダーユニット１１１と、リーダーＩ／Ｆ２１３を介して、ＣＰＵ２０３と通信可能に接続される。リーダーユニット１１１は、原稿台またはＡＤＦに置かれた原稿の画像を読み取り、画像データを生成する。プリンタユニット１１２は、生成された画像データまたは読み取った画像データに基づく画像を用紙（シート）に印刷する。ＣＰＵ２０３は、プリンタＩ／Ｆ２１４を介して、プリンタユニット１１２と通信可能に接続される。画像処理部２０７は、リーダーユニット１１１が生成した画像データに画像処理を行う。また、画像処理部２０７は、ＣＰＵ２０３が出力した画像データに画像処理を行い、プリンタユニット１１２に出力する。
【００２３】
図３は、異常個所を判定するフローチャートである。図３を参照して、ファン１０６を含めた異常ユニットを特定する方法について詳細に説明する。図３の各ステップは、ＣＰＵ２０３が実行する。
【００２４】
電源／ファン制御部２０１は、ファン１０６が出力したファンロック信号１５を受信する。電源／ファン制御部２０１は、ファンロック信号１５を受信すると、ＣＰＵ２０３に割り込み信号１９を出力する。ＣＰＵ２０３は、割り込み信号１９が入力されると（Ｓ３０１：Ｙｅｓ）、ファン１０６に電力を供給している電力供給元が第一電源部１０３か否かを判定する（Ｓ３０２）。ＣＰＵ２０３は、ファン１０６へ電力を供給している電力供給元が、第一電源部１０３なのか、第二電源部１０４なのかを把握しているので、Ｓ３０２の判定が可能である。
【００２５】
ファン１０６へ電力を供給している電力供給元が第一電源部１０３であると判定した場合には（Ｓ３０２：Ｙｅｓ）、ＣＰＵ２０３は、ファン１０６へ電力を供給する電力供給元を、第一電源部１０３から第二電源部１０４へ切り替える（Ｓ３０３）。第二電源部１０４に切り替えても、再度、電源／ファン制御部２０１から割り込み信号１９が入力されると（Ｓ３０４：Ｙｅｓ）、ＣＰＵ２０３は、ファン１０６が異常であると判定し、ユーザへ通知する（Ｓ３０５）。一方で、第二電源部１０４に切り替えて、電源／ファン制御部２０１から割り込み信号１９が入力されないと（Ｓ３０４：Ｎｏ）、ＣＰＵ２０３は、第二電源部１０４からの出力でファン１０６の動作を継続する（Ｓ３０６）。
【００２６】
ファン１０６へ電力を供給している電力供給元が第二電源部１０４であると判定した場合（Ｓ３０２：Ｎｏ）、ＣＰＵ２０３は、電力供給元を第二電源部１０４から第一電源部１０３に切り替える（Ｓ３０７）。第一電源部１０３に切り替えても、再度、電源／ファン制御部２０１から割り込み信号１９が入力されると（Ｓ３０８：Ｙｅｓ）、ＣＰＵ２０３は、ファン１０６が異常であると判定し、ユーザへ通知する（Ｓ３０５）。一方で、第一電源部１０３に切り替えて、電源／ファン制御部２０１から割り込み信号１９が入力されないと（Ｓ３０８：Ｎｏ）、ＣＰＵ２０３は、第二電源部１０４が異常であるとユーザに通知する（Ｓ３０９）。
【００２７】
実施例１では、ユーザへの通知方法は、操作部２１２の表示部への表示であるが、ＬＡＮ２１０を経由して、システム管理者やサービスマンへ通知しても良い。
【００２８】
図４は、操作部の表示部に表示される画面を示した図である。図３のＳ３０５では、ＣＰＵ２０３は、図４（Ａ）のように、ファン１０６の故障を示す情報を表示する。この図４（Ａ）の画面には、ファン１０６の故障を示す情報以外に、交換パーツを特定するための番号が表示される。また、図３のＳ３０９では、ＣＰＵ２０３は、図４（Ｂ）のように、電源ユニット１０２の故障を示す情報を表示する。この図４（Ｂ）の画面には、電源ユニット１０２の故障を示す情報以外に、交換パーツを特定するための番号が表示される。この画面にて、第一電源部１０３と区別して第二電源部１０４が故障であることを表示しても良い。
【００２９】
実施例１では、ファンロック信号１５が出力された際に、ＣＰＵ２０３は、ファン１０６に電力を供給する電力供給元を切り替えることによって、ファン１０６で異常が発生しているのか、電源ユニット１０２で異常が発生しているのかを判定する。その結果、サービスマンは、電源ユニット１０２の交換をすべきか、ファン１０６の交換をすべきかを判断することができる。２つの電源部の出力が切り替えられて電源ファン１０２に入力されるので、１つの電源部からの出力とその出力を降圧したものを電源ファン１０２へ供給する場合に比べて、降圧回路の追加が必要ない。また、電源ファン１０２に入力される電圧を下げることによって、静音性や消費電力の低減を可能とすることができる。電源ファン１０２に複数の電圧を供給することができる構成において、故障ユニットの特定が可能となる。また、電源／ファン制御部２０１及び制御部２２０へ供給するより高い電圧をファン１０６へ供給することで、ファン１０６が劣化して駆動しにくい状態になっていた場合にも、電源ファン１０２を駆動させることが出来る。そして、継続した装置の使用が可能となる。
【実施例２】
【００３０】
実施例２では、制御ユニット１０５に電力を供給する電源部５０１とは異なる複数の電源部５０３、５０４がファン１０６に電力を供給する構成において、故障ユニットを特定する。実施例２では、制御ユニット１０５に供給される電圧より高い複数の電圧をファン１０６に出力したいので、制御ユニット１０５に電力を供給する電源部５０１とは異なる複数の電源部５０３及び５０４がファン１０６に電力を供給する。
【００３１】
図５は、実施例２の画像形成装置の電源構成を示したブロック図である。実施例２では、実施例１と異なる部分を中心に説明する。
【００３２】
電源コード１０１から供給された交流の電力は、第一電源ユニット５００及び第二電源ユニット５０２へ供給される。第一電源ユニット５００の第一電源部５０１は、制御ユニット１０５に電力を供給する。第二電源ユニット５０２は、第二電源部５０３と第三電源部５０とを有する。第一電源部５０１、第二電源部５０３、第三電源部５０４は、共に、ＡＣＤＣコンバータであり、交流の電力を直流の電力に変換して出力する。第二電源部５０３は、リーダーユニット１１１の制御系のデバイス（ＩＣ等）やプリンタユニット１１２の制御系のデバイス（ＩＣ等）に電力を供給する。また、第三電源部５０４は、リーダーユニット１１１の駆動系のデバイス（モーター等）やプリンタユニット１１２の駆動系のデバイス（モーター等）に電力を供給する。第三電源部５０４は、駆動系のデバイスに電力を供給する電源であり、電源ラインを流れる電流を小さくするために、第三電源部５０４の出力電圧は、第二電源部５０３の出力電圧より高い。
【００３３】
実施例２では、ファン１０６へ供給される電力の電力供給元は、第二電源部５０３及び第三電源部５０４である。ファン１０６に入力される電圧を切り替えることによって、ファン１０６の回転数が変動する。第二電源部５０３とファン１０６との間には、ファン制御用のスイッチ５０５及びダイオード５７１が設けられている。また、第三電源部５０４とファン１０６との間には、ファン制御用のスイッチ５０６及びダイオード５８１が設けられている。ファン制御用のスイッチ５０５及びファン制御用のスイッチ５０６は、ＦＥＴ（Ｆｉｅｌｄ  Ｅｆｆｅｃｔ  Ｔｒａｎｓｉｓｔｏｒ）である。ダイオード５７１は、第三電源部５０４側から第二電源部５０３側に電流が流れ込むのを防止し、ダイオード５８１は、第二電源部５０３側から第三電源部５０４側に電流が流れ込むのを防止する。ファン制御用スイッチ５０５及び５０６のオフ及びオンは、制御ユニット１０５が行う。制御ユニット１０５が出力するファン制御信号１０により、ファン制御用スイッチ５０５がオン又はオフになる。また、制御ユニット１０５が出力するファン制御信号１１により、ファン制御用スイッチ５０６がオン又はオフになる。
【００３４】
実施例２では、第二電源ユニット５０２は、第二電源部５０３の出力を監視する監視回路（監視部）５０９と、第三電源部５０４の出力を監視する監視回路（監視部）５１０を有する。制御ユニット１０５は、ファン１０６からのファンロック信号１５が入力されると、監視回路５０９から出力される監視信号５４及び監視回路５１０から出力される監視信号５５のレベルを確認する。そして、ファン１０６に供給する電力が正常に出力されているかどうかを判定する。
【００３５】
制御ユニット１０５は、第二電源部５０３からリーダーユニット１１１の制御系のデバイスに供給される電力、及び、第三電源部５０４からリーダーユニット１１１の駆動系のデバイスに供給される電力の供給／停止を、スイッチ５０７のオン／オフにより行う。制御ユニット１０５は、制御信号１２によりスイッチ５０７のオン／オフを行う。ここでは、１つの制御信号１２によってスイッチ５０７のオン／オフを行ったが、別々の信号によりスイッチ５０７のオン／オフを行っても良い。また、制御ユニット１０５は、第二電源部５０３からプリンタユニット１１２の制御系のデバイスに供給される電力の供給／停止を、スイッチ５０８のオン／オフにより行う。また、制御ユニット１０５は、第三電源部５０４からプリンタユニット１１２の駆動系のデバイスに供給される電力の供給／停止を、スイッチ５０８のオン／オフにより行う。制御ユニット１０５は、制御信号１３によりスイッチ５０８のオン／オフを行う。ここでは、１つの制御信号１３によって２つのスイッチ５０８のオン／オフを行ったが、別々の信号により２つのスイッチ５０８のオン／オフを行っても良い。
【００３６】
図６は、実施例２の制御ユニットの詳細を示したブロック図である。実施例２では実施例１と異なる部分を中心に説明する。図６でも、電源供給用の電源線を実線、制御信号用の信号線を点線で示す。制御ユニット１０５に入力された電圧は、ＤＣＤＣコンバータである電源部２００で降圧され、電源／ファン制御部２０１に供給される。電源／ファン制御部２０１は、ファン制御信号１０及びファン制御信号１１の出力により、ファン１０６への電力の供給／停止を行う。また、電源／ファン制御部２０１は、第二電源ユニット５０２を経由して、ファン１０６の状態を示す信号（ファンロック信号１５）を受信する。
【００３７】
図７は、異常個所を判定するフローチャートである。図３を参照して、ファン１０６を含めた異常ユニットを特定する方法について詳細に説明する。図３の各ステップは、ＣＰＵ２０３が実行する。
【００３８】
電源／ファン制御部２０１は、ファン１０６が出力したファンロック信号１５を受信する。電源／ファン制御部２０１は、ファンロック信号１５を受信すると、ＣＰＵ２０３に割り込み信号１９を出力する。ＣＰＵ２０３は、割り込み信号１９が入力されると（Ｓ７０１：Ｙｅｓ）、ファン１０６に電力を供給している電力供給元が第二電源部５０３か否かを判定する（Ｓ７０２）。ＣＰＵ２０３は、ファン１０６へ電力を供給している電力供給元が、第二電源部５０３なのか、第三電源部５０４なのかを把握しているので、Ｓ３０２の判定が可能である。
【００３９】
ファン１０６へ電力を供給している電力供給元が第二電源部５０３であると判定した場合には（Ｓ７０２：Ｙｅｓ）、ＣＰＵ２０３は、監視信号５４の状態を確認する（Ｓ７０３）。監視信号５４が入力されていなければ、ＣＰＵ２０３は、ファン１０６が異常であると判定し、ユーザへ通知する（Ｓ７０５）。一方で、監視信号５４が入力されていれば、ＣＰＵ２０３は、第二電源部５０３が異常であると判定し、ユーザへ通知する（Ｓ７０５）。実施例２でも、ユーザへの通知方法は、操作部２１２の表示部への表示であるが、ＬＡＮ２１０を経由して、システム管理者やサービスマンへ通知しても良い。
【００４０】
ファン１０６へ電力を供給している電力供給元が第三電源部５０４であると判定した場合には（Ｓ７０２：Ｎｏ）、ＣＰＵ２０３は、監視信号５５の状態を確認する（Ｓ７０６）。監視信号５５が入力されていなければ、ＣＰＵ２０３は、ファン１０６が異常であると判定し、ユーザへ通知する（Ｓ７０４）。一方で、監視信号５５が入力されていれば、ＣＰＵ２０３は、第三電源部５０３が異常であると判定し、ユーザへ通知する（Ｓ７０７）。
【００４１】
（その他の実施例）
実施例１では、Ｓ３０２において、ファン１０６への電力供給元が第一電源部１０３であるならば、Ｓ３０３において、ファン１０６への電力供給元を第二電源部１０４に切り替える。しかしながら、電力供給元を第二電源部１０４に切り替えずに、この時点で、ファン１０６の異常であると判定しても良い。なぜなら、第一電源部１０３から供給される電力で動作する制御ユニット１０５がファンロック信号を認識できた時点で、第一電源部１０３が異常でないと判断できる。よって、この時点でファン１０６の異常であると判定しても良い。
【００４２】
本発明の目的は、前述した実施形態の機能を実現するソフトウェアのプログラムコードを記録した記録媒体を、システムあるいは装置に供給するよう構成することによっても達成される。この場合、そのシステムあるいは装置のコンピュータ（またはＣＰＵやＭＰＵ）が記録媒体に格納されたプログラムコードを読出し実行することにより、上記機能が実現されることとなる。なお、この場合、そのプログラムコードを記憶した記録媒体は本発明を構成することになる。
【００４３】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４４】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。
【００４５】
さらに、記録媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００４６】
１００  画像形成装置
１０６  ファン
１０３  第一電源部
１０４  第二電源部
１０５  制御ユニット
【図１】
2020100011.tif 000003
【図２】
2020100011.tif 000004
【図３】
2020100011.tif 000005
【図４】
2020100011.tif 000006
【図５】
2020100011.tif 000007
【図６】
2020100011.tif 000008
【図７】
2020100011.tif 000009